(57)【特許請求の範囲】
【請求項１】
内部画成した貯氷室(14)に氷塊を貯留する筐体(12)と、該筐体(12)の前面に配設されて氷取出口(16)を画成する扉枠(18)と、前記氷取出口(16)を閉成する閉成位置および貯氷室内に進入して氷取出口(16)を開放する開放位置の間を移動可能な扉(20)とからなる貯氷庫において、
前記扉枠(18)は、その氷取出口(16)を画成する上枠部(22)が前記筐体(12)の天板(24)における前端部(36)を覆うように筐体(12)に配設され、
前記扉(20)を閉成位置に位置決めした際に、前記天板(24)における前端(36c)の下方に臨む該扉(20)の上面には、天板(24)と前記扉枠(18)の上枠部(22)との間から垂れる水滴の滴下位置より貯氷室側に臨む位置に、該水滴の貯氷室(14)への浸入を防ぐ突部(48)が設けられている
ことを特徴とする貯氷庫。
【請求項２】
前記突部(48)の上面に、前方に向けて下方傾斜する傾斜面(48a)が形成されている請求項１記載の貯氷庫。
【請求項３】
前記天板(24)の前端下縁に、該天板(24)の底面(36d)より下方に突出するリブ(36e)が設けられている請求項１または２記載の貯氷庫。
【発明の詳細な説明】
【０００１】
【発明の属する技術分野】
この発明は貯氷庫に関し、更に詳細には、氷取出用の氷取出口を開閉する扉の上面に、氷取出口を画成する扉枠と天板との間から垂れる水滴が、氷塊が貯留される貯氷室内に浸入するのを防止するようにした貯氷庫に関するものである。
【０００２】
【従来の技術】
製氷部で連続的に製造した氷塊を貯氷室に貯留する貯氷庫が、喫茶店やレストラン等の施設その他の厨房において好適に使用されている。図６に示す貯氷庫１０は、所要形状に形成された断熱構造の筐体１２の内部に、所要量の氷塊を貯留する貯氷室１４が画成されると共に、該筐体１２の前面部には氷取出用の氷取出口１６を画成する扉枠１８が配設されている。また筐体１２には、扉枠１８に設けられたレール溝(図示せず)に沿って移動可能な扉２０が配設されており、該扉２０は、前記氷取出口１６を閉成する閉成位置と、レール溝に沿って移動することで貯氷室１４の内部に進入して氷取出口１６を開放する開放位置との間を移動するよう構成される。
【０００３】
【発明が解決しようとする課題】
前記貯氷庫１０では、図７に示すように、前記扉枠１８における氷取出口１６を画成する上枠部２２の上端縁部２２ａで、前記筐体１２の上部に配設される天板２４の前端部２４ａを上側から覆うようにして、該扉枠１８が筐体１２に配設されている。このため天板２４に水等が掛かった際には、該天板２４の前端と上枠部２２の上縁端部２２ａとの間から水が扉枠内部に垂れ、この水滴が前記閉成位置に臨む扉２０の上面に滴下していた。この場合に、扉２０における水滴の滴下位置の上面は平坦であったため、この平坦部を流れる水滴が貯氷室１４内に浸入してしまい、貯留されている氷塊が融けたり多数の氷塊同士が再氷結してしまう不都合が発生した。
【０００４】
なお、前記天板２４における前端部２４ａの下面側に、前記上枠部２２の上端縁部２２ａが臨むように扉枠１８を筐体１２に配設し、天板２４の前端から垂れる水滴が上枠部２２の前面を流れるようにすれば、水滴が貯氷室１４の内部に浸入することを防止し得る。しかるにこの場合は、上枠部２２の位置が天板２４の厚み分だけ下がることとなるため、その分だけ前記氷取出口１６の開口寸法が小さくなってしまう。そこで、上枠部２２の高さ寸法を小さくすることで、氷取出口１６の開口寸法を確保しようとすると、上枠部２２の強度不足を生じ、亀裂・割れ等が発生し易くなる問題を招く。
【０００５】
【発明の目的】
本発明は、前述した従来の技術に内在している前記欠点に鑑み、これを好適に解決するべく提案されたものであって、強度が低下したり氷取出口の開口寸法を小さくすることなく、水滴の貯氷室内への浸入を防止し得る貯氷庫を提供することを目的とする。
【０００６】
【課題を解決するための手段】
前記課題を克服し、所期の目的を好適に達成するため、本発明に係る貯氷庫は、
内部画成した貯氷室に氷塊を貯留する筐体と、該筐体の前面に配設されて氷取出口を画成する扉枠と、前記氷取出口を閉成する閉成位置および貯氷室内に進入して氷取出口を開放する開放位置の間を移動可能な扉とからなる貯氷庫において、
前記扉枠は、その氷取出口を画成する上枠部が前記筐体の天板における前端部を覆うように筐体に配設され、
前記扉を閉成位置に位置決めした際に、前記天板における前端の下方に臨む該扉の上面には、天板と前記扉枠の上枠部との間から垂れる水滴の滴下位置より貯氷室側に臨む位置に、該水滴の貯氷室への浸入を防ぐ突部が設けられていることを特徴とする。
【０００７】
【発明の実施の形態】
次に、本発明に係る貯氷庫につき、好適な実施例を挙げて、添付図面を参照しながら以下説明する。なお、貯氷庫の基本的な構造は、図６および図７を参照して従来の技術の項で説明した通りであるので、既出の部材と同一の部材については同じ符号で指示して、その詳細説明は省略する。
【０００８】
図１および図２に示す如く、実施例に係る貯氷庫３０の筐体１２には、その上部に天板２４が着脱可能に配設される。この天板２４は、発泡断熱材の充填空間を内部画成するよう中空に合成樹脂成形されたものであって、その後端下部には、略Ｌ字状の係止片３２が一体的に形成してある。また筐体１２の後面上部に、固定部材３４が着脱可能にネジ止めされており、該固定部材３４の後方に水平に延出する水平部３４ａを、前記係止片３２に形成した係合孔３２ａに挿入係合することで、天板２４の後部が筐体１２に位置決めされるようになっている(図４および図５参照)。
【０００９】
前記天板２４の前端部３６は、図３に示す如く、筐体１２の前端から所定長さだけ前方に延出すると共に、その上面は、前記扉枠１８の上枠部２２における上端縁部２２ａの厚み分だけ低くなるよう段形成されている。また前端部３６は、前述したように段形成された上面３６ａの前端から所要の曲率で湾曲面３６ｂが湾曲形成されると共に、該湾曲面３６ｂの前端から垂直面(前端)３６ｃが略垂直に垂下しており、該垂直面３６ｃの下端縁(前端下縁)には、前端部３６の底面３６ｄより下方に突出するリブ３６ｅが、幅方向の略全長に亘って形成されている。すなわち、前端部３６の垂直面３６ｃを流れる水は、全てリブ３６ｅの先端から垂れるようになっている。
【００１０】
前記筐体１２の前部に開口部３８が形成されると共に、該筐体１２の前部に配設される扉枠１８には、開口部３８と対応する位置に氷取出用の氷取出口１６が形成されており、前記貯氷室１４に貯留されている氷塊は、該氷取出口１６を介して取出される。扉枠１８における氷取出口１６を画成する上枠部２２の上端縁部２２ａは、図３に示す如く、前記天板２４の前端部３６における上面３６ａおよび湾曲面３６ｂに倣う形状に形成されて、該上端縁部２２ａの下面が上面３６ａおよび湾曲面３６ｂに上側から略密着するようになっている。なお、天板２４の前端部３６を扉枠１８の上枠部２２で上方から覆うことで、筐体１２に対する天板２４の前部の位置決めがなされるよう構成される。
【００１１】
前記扉枠１８には、氷取出口１６を開閉する扉２０が、該扉枠１８における氷取出口１６を画成する幅方向に離間する両側枠部４０,４０の内面(氷取出口側)に形成されたガイド溝４２,４２に沿って閉成位置と開放位置との間を移動可能に配設されている。このガイド溝４２は、図１に示す如く、上下方向に延在する縦溝部４２ａと、該縦溝部４２ａの上端から貯氷室内側に延在する横溝部４２ｂとから構成される。なお、貯氷室１４を画成する筐体１２の幅方向に対向する内側面には、各横溝部４２ｂと対応して後方に所定長さで延在する内溝部４４が夫々形成してある。
【００１２】
前記扉２０は、氷取出口１６を閉成可能な寸法に設定されており、その幅方向の両側面には、上下方向に離間して一対のガイドピン４６,４６が夫々設けられ、各ガイドピン４６,４６が対応するガイド溝４２に摺動可能に臨んでいる。すなわち、図１に示す如く、上下のガイドピン４６,４６が、ガイド溝４２における縦溝部４２ａの上下端部近傍に位置している状態で、該扉２０は閉成位置に位置決めされて氷取出口１６を閉成する。また上側のガイドピン４６が横溝部４２ｂを移動して内溝部４４に移行すると共に、下側のガイドピン４６が縦溝部４２ａの上端部近傍に位置する状態で、該扉２０は貯氷室１４の内部に進入した開放位置に位置決めされて氷取出口１６を開放するよう構成される。
【００１３】
前記扉２０を閉成位置に位置決めした際に、その上面は、前記天板２４の前端部３６における垂直面３６ｂの下方に臨むよう設定される。また扉２０の上面には、天板２４と扉枠１８の上枠部２２における上端縁部２２ａとの間から垂れる水滴の滴下位置、すなわち前記リブ３６ｅの下方より貯氷室側に臨む位置に、所定高さの突部４８が幅方向の全長に亘って突設されている。すなわち、天板２４の前端部３６と扉枠１８の上枠部２２との間から垂れる水滴は、閉成位置に位置決めされた扉２０の上面における突部４８より前側に滴下し、該水滴の貯氷室１４への浸入は突部４８により確実に防ぐことができる。なお、扉２０の上面における突部４８より前側に位置する前上面５０は、扉２０が閉成位置に位置決めされた状態で、前方に向けて下方傾斜するよう設定されており、該前上面５０に滴下した水滴を前面側に案内するよう構成される。
【００１４】
また、前記突部４８の上面には、前方に向けて下方傾斜する傾斜面４８ａが形成されており、仮に突部４８の上面に水滴が滴下したとしても、該水滴を傾斜面４８ａに沿って前側に流下させ、水滴の貯氷室１４への浸入を防止するようになっている。
【００１５】
【実施例の作用】
次に、実施例に係る貯氷庫の作用につき説明する。前記扉２０を閉成位置に位置決めした状態で、前記天板２４に水が掛かると、該水は天板２４における前端部３６とこれを覆う扉枠１８の上枠部２２における上端縁部２２ａとの間を伝って、前端部３６における垂直面３６ｃを流れ、前記リブ３６ｅから垂れる。この場合に、リブ３６ｅは前端部３６の底面３６ｄより下方に突出しているから、垂直面３６ｃを流れた水がリブ３６ｅから底面側に移動することはなく、略全ての水は該リブ３６ｅから垂れる。
【００１６】
前記リブ３６ｅから垂れる水は、閉成位置に臨む扉２０の上面における突部４８より前側の前上面５０に滴下する。すなわち、リブ３６ｅから扉上面に滴下した全ての水滴は、突部４８により貯氷室側に流れるのは防止され、該水滴が貯氷室１４へ浸入することはない。従って、水滴が貯氷室１４に浸入して氷塊が融けたり再氷結するのを防止することができると共に、衛生的に保ち得る。また、仮に突部４８の上面に水滴が滴下したとしても、該上面には下方傾斜する傾斜面４８ａが形成されているから、該水滴は傾斜面４８ａに沿って前上面５０に流下し、水滴が貯氷室１４へ浸入するのは防止される。
【００１７】
なお、前記天板２４の筐体１２への取付けに際しては、先ず天板２４の前記係止片３２の係合孔３２ａに、筐体１２にネジ止めされた固定部材３４の水平部３４ａを挿入係合することで、該天板２４の後部を筐体１２に対して位置決めする。次に、前記扉枠１８を、上枠部２２の上端縁部２２ａで天板２４の前端部３６を上側から覆うようにして筐体１２に配設することで、該天板２４も筐体１２に取付けられる。このとき、天板２４の前端部３６と扉枠１８の上枠部２２における上端縁部２２ａとの接触面積が大きくなるよう設定してあるから、上枠部２２の強度が向上すると共に、貯氷室１４からの冷気洩れを抑制し、結露の発生を防ぐことができる。また、上枠部２２により天板２４の前端部３６を長い領域に亘って覆っているから、該前端部３６が不用意に外れるのも防止し得る。
【００１８】
なお、実施例では天板にリブを設けると共に、扉の突部上面に傾斜面を形成した場合で説明したが、何れか一方または両構成を省略することも可能である。
【００１９】
【発明の効果】
以上説明した如く、本発明に係る貯氷庫では、扉の上面に突部を設けることで、氷取出口の開口寸法が小さくなったり、あるいは上枠部の強度が低下することなく、天板と扉枠との間から扉上面に滴下した水滴が貯氷室に浸入するのを確実に防止することができる。従って、貯氷室に貯留されている氷塊が融けたり再氷結するのを好適に防止し得る。また、突部の上面に傾斜面を形成したことで、仮に突部の上面に水滴が滴下してもこれを前方に流すことができ、水滴が貯氷室に浸入するのを防ぎ得る。更に、天板にリブを設けることで、天板と扉枠との間から垂れる水を、扉上面における突部より前側に確実に滴下させることが可能となる。
【図面の簡単な説明】
【図１】  本発明の好適な実施例に係る貯氷庫の要部縦断面図である。
【図２】  実施例に係る貯氷庫の要部縦断面図である。
【図３】  実施例に係る貯氷庫の天板と扉枠および扉の関係を示す要部縦断面図である。
【図４】  実施例に係る貯氷庫の天板と筐体との後部取付け部を示す要部縦断面図である。
【図５】  実施例に係る貯氷庫の要部背面図である。
【図６】  従来の技術に係る貯氷庫を示す概略斜視図である。
【図７】  従来の技術に係る貯氷庫の天板と扉枠および扉の関係を示す要部縦断面図である。
【符号の説明】
１２ 筐体，１４ 貯氷室，１６ 氷取出口，１８ 扉枠，２０ 扉
２２ 上枠部，２４ 天板，３６ 前端部，３６ｃ 垂直面(前端),３６ｄ 底面
３６ｅ リブ，４８ 突部，４８ａ 傾斜面
【図１】
0004445646.tif 000002
【図２】
0004445646.tif 000003
【図３】
0004445646.tif 000004
【図４】
0004445646.tif 000005
【図５】
0004445646.tif 000006
【図６】
0004445646.tif 000007
【図７】
0004445646.tif 000008